(57)【要約】【課題】手持ち式電気器具、特に、ヘヤードライヤ又は温風整髪ブラシのようなヘヤケア電気器具を提供する。【解決手段】開示するのは、内側壁と内側壁に沿ってかつその周りに延びる外側壁とを有するハンドルを含む手持ち式電気器具であり、内側壁は、少なくとも部分的に内側壁に沿って延びる複数の穿孔を含む。外側壁の穿孔が、内側壁の穿孔から離間している。内側壁及び／又は外側壁は、少なくとも部分的に内側壁の周りに延びる複数の穿孔を含むことができる。外側壁は、少なくとも部分的に外側壁に沿って延びる複数の穿孔を含むことができる。ハンドルは、第１の端部及び第２の端部を含むことができる。内側壁は、第１の端部及び第２の端部を有することができ、内側壁は、ハンドルの第１の端部からハンドルの第２の端部に向けて延びることができる。同じく開示するのは、ヘヤードライヤである。【選択図】図６
2015066447.tif 000002
【特許請求の範囲】
【請求項１】
ヘヤケア電気器具であって、
内側壁と該内側壁に沿ってかつその周りに延びる外側壁とを有するハンドル、
を含み、
前記内側壁は、少なくとも部分的に該内側壁に沿って延びる複数の穿孔を含み、
前記外側壁の穿孔が、前記内側壁の前記穿孔から離間している、
ことを特徴とする電気器具。
【請求項２】
前記内側壁は、少なくとも部分的に該内側壁の周りに延びる複数の穿孔を含むことを特徴とする請求項１に記載の電気器具。
【請求項３】
前記外側壁は、少なくとも部分的に該外側壁の周りに延びる複数の穿孔を含むことを特徴とする請求項１又は請求項２に記載の電気器具。
【請求項４】
前記外側壁は、少なくとも部分的に該外側壁に沿って延びる複数の穿孔を含むことを特徴とする請求項１から請求項３のいずれか１項に記載の電気器具。
【請求項５】
前記ハンドルは、第１の端部及び第２の端部を含むことを特徴とする請求項１から請求項４のいずれか１項に記載の電気器具。
【請求項６】
前記内側壁は、第１の端部及び第２の端部を含み、該内側壁は、前記ハンドルの前記第１の端部から該ハンドルの前記第２の端部に向けて延びることを特徴とする請求項５に記載の電気器具。
【請求項７】
前記ハンドルの前記外側壁は、該ハンドルの前記第１の端部から前記第２の端部に向けて延びることを特徴とする請求項５又は請求項６に記載の電気器具。
【請求項８】
前記外側壁は、前記ハンドルの前記第２の端部まで延びることを特徴とする請求項７に記載の電気器具。
【請求項９】
前記外側壁内の穿孔が、前記ハンドルの前記第２の端部に隣接していることを特徴とする請求項５から請求項８のいずれか１項に記載の電気器具。
【請求項１０】
前記外側壁内の前記穿孔は、前記ハンドルに沿って前記第１の端部に向けて延びることを特徴とする請求項９に記載の電気器具。
【請求項１１】
前記外側壁内の前記穿孔は、前記内側壁内の前記穿孔から縦方向に離間していることを特徴とする請求項１から請求項１０のいずれか１項に記載の電気器具。
【請求項１２】
ヘヤケア電気器具であって、
内側壁と該内側壁に沿ってかつその周りに延びる外側壁とを有するハンドル、
を含み、
前記内側壁は、少なくとも部分的に該内側壁に沿って延びる複数の穿孔を含み、
前記外側壁の穿孔が、前記内側壁の前記穿孔から縦方向に離間している、
ことを特徴とする電気器具。
【請求項１３】
前記外側壁内に配置され、該外側壁内の前記穿孔を横切ってかつその周りに延びるフィルタを含むことを特徴とする請求項１から請求項１２のいずれか１項に記載の電気器具。
【請求項１４】
前記ハンドルは、第１の端部及び第２の端部を含み、前記フィルタは、該ハンドルの該第２の端部から延びることを特徴とする請求項１３に記載の電気器具。
【請求項１５】
前記内側壁は、第１の端部及び第２の端部を有し、前記フィルタは、前記ハンドルの前記第２の端部から延びて該内側壁の該第２の端部に当接することを特徴とする請求項１３又は請求項１４に記載の電気器具。
【請求項１６】
ヘヤケア電気器具であって、
第１の端部及び第２の端部を有するハンドルと、
第１の端部及び第２の端部を有し、該第１の端部が前記ハンドルの前記第１の端部から延びる内側壁と、
前記内側壁に沿ってかつその周りに延びる外側壁と、
を含み、
前記内側壁は、少なくとも部分的に該内側壁に沿って延びる複数の穿孔を含み、前記外側壁内に配置されて該外側壁内の穿孔を横切りかつその周りに延びるフィルタを含み、
前記フィルタは、前記ハンドルの前記第２の端部から延びて前記第２の端部に当接する、
ことを特徴とする電気器具。
【請求項１７】
前記内側壁の前記第２の端部は、湾曲していることを特徴とする請求項１５又は請求項１６に記載の電気器具。
【請求項１８】
ヘヤケア電気器具であって、
第１の端部及び第２の端部を有するハンドルと、
第１の端部及び第２の端部を有し、該第１の端部が前記ハンドルの前記第１の端部から延びる内側壁と、
前記内側壁に沿ってかつその周りに延びる外側壁と、
を含み、
前記内側壁は、少なくとも部分的に該内側壁に沿って延びる複数の穿孔を含み、
前記内側壁の前記第２の端部は、湾曲している、
ことを特徴とする電気器具。
【請求項１９】
前記内側壁は、該内側壁と前記外側壁の間に突出する少なくとも１つの支持リブを含むことを特徴とする請求項１から請求項１８のいずれか１項に記載の電気器具。
【請求項２０】
前記少なくとも１つの支持リブは、前記内側壁に沿って縦方向に延びることを特徴とする請求項１７に記載の電気器具。
【請求項２１】
裏張り材料が、前記ハンドルの前記外側壁及び内側壁の間に設けられることを特徴とする請求項１から請求項２０のいずれか１項に記載の電気器具。
【請求項２２】
前記ハンドルは、ファンユニットを含み、
前記内側壁は、前記ファンユニットを前記ハンドルに収容するためのハウジングを含む、
ことを特徴とする請求項１に記載の電気器具。
【請求項２３】
前記ハウジングは、前記ハンドルの第１の端部と該ハンドルの第２の端部の間にあることを特徴とする請求項２２に記載の電気器具。
【請求項２４】
前記内側壁は、前記第２の端部と前記ファンユニットのための前記ハウジングとの間に複数の穿孔を含むことを特徴とする請求項２３に記載の電気器具。
【請求項２５】
前記内側壁は、前記ファンユニットのための前記ハウジングと前記ハンドルの前記第１の端部との間で穿孔されないことを特徴とする請求項２３又は請求項２４に記載の電気器具。
【請求項２６】
前記内側壁は、第１部及び第２部から形成されることを特徴とする請求項１から請求項２５のいずれか１項に記載の電気器具。
【請求項２７】
ヘヤケア電気器具であって、
内側壁と該内側壁に沿ってかつその周りに延びる外側壁とを有するハンドル、
を含み、
前記内側壁は、少なくとも部分的に該内側壁に沿って延びる複数の穿孔を含み、
前記内側壁は、第１部及び第２部から形成される、
ことを特徴とする電気器具。
【請求項２８】
前記第１部及び前記第２部は、互いに接合されて連続内側壁を形成することを特徴とする請求項２６又は請求項２７に記載の電気器具。
【請求項２９】
前記第１部は、前記内側壁の第１の端部から該内側壁の第２の端部まで延びることを特徴とする請求項２６から請求項２８のいずれか１項に記載の電気器具。
【請求項３０】
前記第２部は、前記内側壁の第１の端部から該内側壁の第２の端部まで延びることを特徴とする請求項２６から請求項２９のいずれか１項に記載の電気器具。
【請求項３１】
前記内側壁の前記第１部及び前記第２部は、接続支柱を通じて互いに接続されることを特徴とする請求項２６から請求項３０のいずれか１項に記載の電気器具。
【請求項３２】
前記接続支柱は、前記内側壁のための補強リブであることを特徴とする請求項３１に記載の電気器具。
【請求項３３】
前記内側壁は、前記ハンドルの前記第２の端部に隣接して複数の穿孔を含む第１の部分と、穿孔されずに前記ファンユニットのための前記ハウジングを含む第２の部分と、該内側壁の該第２の部分から穿孔されていない前記第１の端部に向けて延びる第３の部分とを含むことを特徴とする請求項２２に記載の電気器具。
【請求項３４】
手持ち式電気器具であって、
内側壁と該内側壁に沿ってかつその周りに延びる外側壁とを有するハンドル、
を含み、
前記内側壁は、少なくとも部分的に該内側壁に沿って延びる複数の穿孔を含み、
前記外側壁の穿孔が、前記内側壁の前記穿孔から離間している、
ことを特徴とする電気器具。
【請求項３５】
手持ち式電気器具であって、
内側壁と該内側壁に沿ってかつその周りに延びる外側壁とを有するハンドル、
を含み、
前記内側壁は、少なくとも部分的に該内側壁に沿って延びる複数の穿孔を含み、
前記外側壁の穿孔が、前記内側壁の前記穿孔から縦方向に離間している、
ことを特徴とする電気器具。
【請求項３６】
手持ち式電気器具であって、
第１の端部及び第２の端部を有するハンドルと、
第１の端部及び第２の端部を有し、該第１の端部が前記ハンドルの前記第１の端部から延びる内側壁と、
前記内側壁に沿ってかつその周りに延びる外側壁と、
を含み、
前記内側壁は、少なくとも部分的に該内側壁に沿って延びる複数の穿孔を含み、前記外側壁内に配置されて該外側壁の穿孔を横切りかつその周りに延びるフィルタを含み、
前記フィルタは、前記ハンドルの前記第２の端部から延びて前記第２の端部に当接する、
ことを特徴とする電気器具。
【請求項３７】
手持ち式電気器具であって、
第１の端部及び第２の端部を有するハンドルと、
第１の端部及び第２の端部を有し、該第１の端部が前記ハンドルの前記第１の端部から延びる内側壁と、
前記内側壁に沿ってかつその周りに延びる外側壁と、
を含み、
前記内側壁は、少なくとも部分的に該内側壁に沿って延びる複数の穿孔を含み、
前記内側壁の前記第２の端部は、湾曲している、
ことを特徴とする電気器具。
【請求項３８】
手持ち式電気器具であって、
内側壁と該内側壁に沿ってかつその周りに延びる外側壁とを有するハンドル、
を含み、
前記内側壁は、少なくとも部分的に該内側壁に沿って延びる複数の穿孔を含み、
前記内側壁は、第１部及び第２部から形成される、
ことを特徴とする電気器具。
【請求項３９】
ヘヤードライヤであることを特徴とする請求項１から請求項３４のいずれか１項に記載の電気器具。
【発明の詳細な説明】
【技術分野】
【０００１】
本発明は、手持ち式電気器具、特に、ヘヤードライヤ又は温風整髪ブラシのようなヘヤケア電気器具に関する。
【背景技術】
【０００２】
送風機及び特に温風送風機は、塗料又は毛髪のような物質を乾燥させて表層を清掃し又ははぎ取るような様々な用途に対して使用される。これに加えて、温風整髪ブラシのような温風送風機は、髪を濡れた又は乾いた状態から整髪するのに使用される。
【０００３】
一般的に、流体を本体内へ引き込むモーター及びファンが与えられ、流体は、本体から出る前に加熱することができる。モーターは、ほこり又は毛髪のような異物によって損傷し易いので、従来、送風機の流体取入端にフィルタが設けられる。従来、そのような電気器具には、電気器具に取り付けてそこから取り外すことができ、かつ電気器具から出る流体流れの形状及び速度を変更するノズルが備えられる。そのようなノズルは、その時点のユーザの要求に応じて電気器具の流出流れを集束させるか又は流出流れを拡散させるのに使用することができる。
【発明の概要】
【課題を解決するための手段】
【０００４】
第１の態様により、本発明は、内側壁と内側壁に沿ってかつその周りに延びる外側壁とを有するハンドルを含むヘヤケア電気器具を提供し、内側壁は、少なくとも部分的に内側壁に沿って延びる複数の穿孔を含む。
【０００５】
好ましくは、内側壁は、少なくとも部分的に内側壁の周りに延びる複数の穿孔を含む。
【０００６】
好ましい実施形態において、外側壁は、少なくとも部分的に外側壁の周りに延びる複数の穿孔を含む。好ましくは、外側壁は、少なくとも部分的に外側壁に沿って延びる複数の穿孔を含む。
【０００７】
好ましい実施形態において、外側壁内の穿孔は、内側壁内の穿孔から離間している。従って、外側壁内の穿孔と内側壁内の穿孔の間に重なりはない。
【０００８】
好ましくは、ハンドルは、第１の端部及び第２の端部を含む。
【０００９】
好ましい実施形態において、内側壁は、第１の端部及び第２の端部を含み、内側壁は、ハンドルの第１の端部からハンドルの第２の端部に向けて延びる。
【００１０】
好ましくは、ハンドルの外側壁は、ハンドルの第１の端部から第２の端部に向けて延びる。好ましい実施形態において、外側壁は、ハンドルの第２の端部まで延びる。
【００１１】
好ましくは、外側壁内の穿孔は、ハンドルの第２の端部に隣接している。好ましい実施形態において、外側壁内の穿孔は、ハンドルに沿って第１の端部に向けて延びる。
【００１２】
好ましくは、外側壁内の穿孔は、内側壁内の穿孔から縦方向に離間している。
【００１３】
本発明により、内側壁と内側壁に沿ってかつその周りに延びる外側壁とを有するハンドルを含むヘヤケア電気器具を提供し、内側壁は、少なくとも部分的に内側壁に沿って延びる複数の穿孔を含み、外側壁内の穿孔は、内側壁内の穿孔から縦方向に離間している。
【００１４】
好ましい実施形態において、電気器具は、外側壁内の穿孔に沿ってかつその周りに延びる外側壁内に配置されたフィルタを含む。
【００１５】
好ましくは、フィルタは、ハンドルの第２の端部から延びる。好ましくは、フィルタは、第２の端部から第１の端部に向けて延びる。好ましい実施形態において、フィルタは、ハンドルの第２の端部から延びて内側壁の第２の端部に当接する。
【００１６】
本発明は、第１の端部及び第２の端部を有するハンドルと、第１の端部及び第２の端部を有し、その第１の端部がハンドルの第１の端部から延びる内側壁と、内側壁に沿ってかつその周りに延びる外側壁とを含むヘヤケア電気器具を提供し、内側壁は、少なくとも部分的に内側壁に沿って延びる複数の穿孔を含み、外側壁内に配置されて外側壁内の穿孔を横切りかつその周りに延びるフィルタを含み、フィルタは、ハンドルの第２の端部から延びて第２の端部に当接する。
【００１７】
好ましくは、内側壁の第２の端部は湾曲している。
【００１８】
本発明は、第１の端部及び第２の端部を有するハンドルと、第１の端部及び第２の端部を有し、その第１の端部がハンドルの第１の端部から延びる内側壁と、内側壁に沿ってかつその周りに延びる外側壁とを含むヘヤケア電気器具を提供し、内側壁は、少なくとも部分的に内側壁に沿って延びる複数の穿孔を含み、内側壁の第２の端部は湾曲している。
【００１９】
好ましい実施形態において、内側壁は、内側壁と外側壁の間に突出する少なくとも１つの支持リブを含む。好ましくは、少なくとも１つの支持リブは、内側壁の周りで湾曲している。これに代えて又はこれに加えて、少なくとも１つの支持リブは、内側壁に沿って縦方向に延びる。
【００２０】
好ましくは、ハンドルの外側壁と内側壁の間に裏張り材料が設けられる。
【００２１】
好ましい実施形態において、外側壁内の穿孔は、ハンドル内への流体入口を含む。
【００２２】
好ましくは、電気器具は、ハンドルに沿って流体入口から延びる流体流路を含み、流体流路は、少なくとも部分的に内側壁によって形成される。
【００２３】
好ましい実施形態において、ハンドルは、ファンユニットを含む。好ましくは、内側壁は、ファンユニットをハンドルに収容するためのハウジングを含む。好ましい実施形態において、ハウジングは、ハンドルの第１の端部とハンドルの第２の端部の間にある。
【００２４】
好ましくは、ハンドルの第１の端部は、ハンドルの上流端である。好ましい実施形態において、ハンドルの第２の端部は、ハンドルの下流端である。
【００２５】
好ましくは、ハンドルの第２の端部は、流体入口を含む。
【００２６】
好ましい実施形態において、内側壁は、第２の端部とファンユニットのためのハウジングとの間に複数の穿孔を含む。
【００２７】
好ましくは、内側壁は、ファンユニットのためのハウジングとハンドルの第１の端部との間で穿孔されない。
【００２８】
好ましい実施形態において、内側壁は、第１部及び第２部から形成される。好ましくは、第１部及び第２部は、連続内側壁を形成するように互いに接合している。
【００２９】
好ましい実施形態において、第１部は、内側壁の第１の端部から内側壁の第２の端部まで延びる。
【００３０】
好ましくは、第２部は、内側壁の第１の端部から内側壁の第２の端部まで延びる。
【００３１】
好ましい実施形態において、内側壁の第１部及び第２部は、接続支柱によって互いに接続される。好ましくは、接続支柱は、内側壁のための補強リブである。
【００３２】
好ましい実施形態において、内側壁は、ハンドルの第２の端部に隣接し、複数の穿孔を含む第１の部分と、穿孔されず、ファンユニットのためのハウジングを含む第２の部分と、第２の部分ら穿孔されない内側壁の第１の端部に向けて延びる第３の部分とを含む。
【００３３】
好ましくは、電気器具は、内側壁と内側壁に沿ってかつその周りに延びる外側壁とを有するハンドルを含み、内側壁は、少なくとも部分的に内側壁に沿って延びる複数の穿孔を含む。
【００３４】
好ましくは、ヘヤケア電気器具は、ヘヤードライヤである。
【００３５】
フィルタが、複数の開口の各１つの周りに延びるので、複数の開口を通って流れるあらゆる流体はフィルタを通って流れる。
【００３６】
好ましくは、電気器具は外側壁を含み、入口は外側壁にある。開口は、少なくとも部分的に外側壁に沿って延びることが好ましい。
【００３７】
好ましくは、外側壁は管状である。開口は、少なくとも部分的に外側壁の周りに延びることが好ましい。
【００３８】
好ましくは、フィルタは、発泡体ブロックである。フィルタは、円筒形であることが好ましい。
【００３９】
入口は、第２の端部から第１の端部に向けて延びることが好ましい。
【００４０】
好ましくは、フィルタは、入口よりも第２の端部からより遠くに延びる。
【００４１】
好ましい実施形態において、電気器具は、第２の端部に外側壁を横切って延びる端壁を含む。好ましくは、端壁は複数の開口を含み、好ましくは、複数の開口は、端壁を通って延びる。端壁を通って延びる開口は、電気器具内への流体入口の一部を形成することが好ましい。
【００４２】
好ましくは、フィルタは、端壁を通る複数の開口の周りに延びる。フィルタは、端壁を横切って延びることが好ましい。
【００４３】
好ましくは、電気器具は、電力ケーブルを含み、電力ケーブルは、端壁を通って電気器具に入る。フィルタは、電力ケーブルを収納するための開口部を含むことが好ましい。好ましくは、端壁内の複数の開口は、開口部から離間している。フィルタは、電力ケーブルに当接することが好ましい。
【００４４】
好ましくは、電気器具は、入口と、出口と、入口から出口まで流れる流体流路と、フィルタとを含み、入口は複数の開口を含み、フィルタは、複数の開口の各々の周りに延びる。
【００４５】
好ましくは、ヘヤケア電気器具はヘヤードライヤである。
【００４６】
好ましくは、複数の開口は、電気器具内への流体入口を含む。
【００４７】
好ましい実施形態において、端壁は可撓性である。好ましくは、端壁はプラスチック材料から作られる。プラスチック材料は、ポリプロピレン又はアクリロニトリルブタジエンスチレン（ＡＢＳ）の一方であることが好ましい。
【００４８】
好ましくは、端壁は、リムと、リムから半径方向内向きに延びるリップとを含む。リップは、リムからの延長部によってリムから離間することが好ましい。好ましくは、１対のリップが設けられる。電気器具は、リップを収納する凹部を含むことが好ましい。好ましくは、凹部は、ハンドルの内面に形成される。１対の凹部を設けることが好ましい。
【００４９】
好ましくは、ハンドルは、取外可能フィルタを更に含む。取外可能フィルタは、洗浄可能であることが好ましい。好ましくは、フィルタは、端壁をハンドルから取り外した時に取外可能である。
【００５０】
好ましい実施形態において、電気器具は、フィルタに対して保持されたフィルタ台を含む。好ましくは、フィルタ台は、フィルタを超えて延び、ハンドルからフィルタを引出すアクセスを提供する。
【００５１】
ハンドルは、外部からアクセス可能な外面とハンドルの内部区域を定める内面とを有する外側壁を有することが好ましい。好ましくは、端壁は、外側壁を半径方向に横切って延びる。端壁は、外側壁の外径に適合することが好ましい。これに代えて、端壁の直径は壁よりも大きい。端壁は、少なくとも部分的に端壁の外周囲の周りに外向きに延びる外側リップを含むことが好ましい。
【００５２】
好ましくは、端壁は、端壁の内側リムによって形成される更に別の開口を含む。更に別の開口は、端壁の中心に配置することが好ましい。
【００５３】
好ましい実施形態において、電気器具は、電源から電気器具へ電力を供給するための電力ケーブルを含み、電力ケーブルは、更に別の開口を通って延びる。好ましくは、電力ケーブルは、ハウジング内に位置付けられ、ハウジングの周りで半径方向に延びる。
【００５４】
ハウジングは、ハウジングの周りで半径方向に延びる凹部を含むことが好ましい。好ましくは、更に別の開口は、内側リムから半径方向内向きに延びるリップを含み、リップは、凹部と協働するようになっている。
【００５５】
端壁は、端壁がハンドルから取り外された時に電力ケーブル上に保持されることが好ましい。
【００５６】
好ましい実施形態において、電気器具は、流体を電気器具内に引き込むためのファンユニットを含む。好ましくは、ファンユニットは、端壁を通して流体を引き込む。ファンユニットは、ハンドルにあることが好ましい。
【００５７】
好ましくは、ハンドルの第２の端部は、ハンドルの周りで少なくとも部分的に半径方向にかつ第２の端部からハンドルに沿って延びる複数の開口を含む。
【００５８】
好ましくは、電気器具は、本体と、本体に接続された第１の端部及び第１の端部に対して遠位の第２の端部を有するハンドルと、ハンドルの第２の端部でハンドルを横切って延びる端壁とを含み、端壁は、ハンドルから取外可能である。
【００５９】
別の態様により、本発明は、内側壁と内側壁に沿ってかつその周りに延びる外側壁とを有するハンドルを含む手持ち式電気器具を提供し、内側壁は、少なくとも部分的に内側壁に沿って延びる複数の穿孔を含む。
【００６０】
本発明は、内側壁と内側壁に沿ってかつその周りに延びる外側壁とを有するハンドルを含む手持ち式電気器具を提供し、内側壁は、少なくとも部分的に内側壁に沿って延びる複数の穿孔を含み、外側壁内の穿孔は、内側壁内の穿孔から縦方向に離間している。
【００６１】
本発明は、第１の端部及び第２の端部を有するハンドルと、第１の端部及び第２の端部を有し、その第１の端部がハンドルの第１の端部から延びる内側壁と、内側壁に沿ってかつその周りに延びる外側壁とを含む手持ち式電気器具を提供し、内側壁は、少なくとも部分的に内側壁に沿って延びる複数の穿孔を含み、外側壁内に配置されて外側壁内の穿孔を横切りかつその周りに延びるフィルタを含み、フィルタは、ハンドルの第２の端部から延びて第２の端部に当接する。
【００６２】
本発明は、第１の端部及び第２の端部を有するハンドルと、第１の端部及び第２の端部を有し、その第１の端部がハンドルの第１の端部から延びる内側壁と、内側壁に沿ってかつその周りに延びる外側壁とを含む手持ち式電気器具を提供し、内側壁は、少なくとも部分的に内側壁に沿って延びる複数の穿孔を含み、内側壁の第２の端部は湾曲している。
【００６３】
ここで、添付図面を参照して本発明を一例として説明する。
【図面の簡単な説明】
【００６４】
【図１】本発明による電気器具の斜視図である。
【図２】図１の電気器具を通る断面図である。
【図３ａ】入口を分解した電気器具の異なる図である。
【図３ｂ】入口を分解した電気器具の異なる図である。
【図３ｃ】入口を分解した電気器具の異なる図である。
【図４】本発明による電気器具の分解斜視図である。
【図５】異なるハンドル部の分解側面図である。
【図６】内側ハンドルの斜視図である。
【図７】組み立てた内側ハンドルを示す図である。
【図８】入口の傾斜図である。
【図９】図８の入口を取外可能部分を取り外して示す図である。
【図１０】フィルタブロック及び取外可能部分の平面図である。
【図１１】代わりの内側壁の等角投影図である。
【図１２】図１１の内側壁を組み立てて示す図である。
【図１３ａ】代わりの電気器具の等角投影図である。
【図１３ｂ】図１３ａの電気器具を取外可能部分なしに示す図である。
【図１４ａ】図１３ａの代わりの電気器具を入口を分解して示す図である。
【図１４ｂ】図１４ａの取外可能部分をより詳しく示す図である。
【図１４ｃ】図１４ａのフィルタ台をより詳しく示す図である。
【図１５】図１３ａの代わりの電気器具の入口を通る断面図である。
【図１６ａ】図１５の断面図をより詳しく示す図である。
【図１６ｂ】図１５の断面図をより詳しく示す図である。
【発明を実施するための形態】
【００６５】
図１及び図２は、ハンドル２０と本体３０とを含むヘヤードライヤ１０を示している。ハンドルは、本体３０に接続された第１の端部２２と、本体３０から遠位であり、かつ主流体入口４０を含む第２の端部２４とを有する。ヘヤードライヤ１０には、ケーブル５０を通して電力が供給される。
【００６６】
本体３０は、第１の端部３２及び第２の端部３４を有し、かつ２つの部分を有すると考えられる。第１の端部３２から延びる第１部３６は、ほぼ管状であり、第２の端部３４から延びる第２部３８は、第１部３６に接合している。第２部３８は、円錐形であり、本体３０の第１部３６の直径から本体の第２の端部３４のより小さい直径へと、直径がその長さに沿って変化している。この例では、第２部３８は、一定の勾配を有し、本体３０の第１部３６の外側壁３６０に対する角度αは、約４０°である。
【００６７】
ハンドル２０は、本体３０からハンドルの遠位端２４まで延びる外側壁２００を有する。ハンドルの遠位端２４で、外側壁２００を横切って端壁２１０が延びる。端壁２１０を貫通してケーブル５０がハンドドライヤー内に入っている。ハンドル２０の主流体入口４０は、ハンドルの外側壁２００の周りにかつそれに沿って延びる第１の開口４２と、ハンドル２０の端壁２１０を横切ってかつそれを通って延びる第２の開口４６とを有する。ケーブル５０は、端壁２１０のほぼ中央に位置付けられ、ハンドル２０の中心から延びる。端壁２１０は、ハンドルの外側壁２００及び内側壁２２０と直交している。
【００６８】
ケーブル５０は、ハンドル２０の中心から延びることが好ましく、こうすれば、ユーザが手に有するハンドル２０の向きに関係なくヘヤードライヤが平衡を保つ。同じく、ユーザがハンドル２０上で彼ら／彼女らの手の位置を変えても、移動した手の位置に対するケーブルの位置は変わらないので、ケーブル５０からの引っ張りはないことになる。仮にケーブルがオフセットしてハンドルの一方の側面により近くなれば、ヘヤードライヤの重量分布が向きに応じて変化し、ユーザの気がそらされる。
【００６９】
主流体入口４０の上流にはファンユニット７０が設けられる。ファンユニット７０はファン及びモーターを含む。ファンユニット７０は主流体入口４０を通して流体を引き込み、流体は、主流体入口４０から本体３０まで流れる流体流路４００を通って本体３０に向かい、ハンドル２０と本体３０との接合部９０で本体３０に入る。流体流路４００は、本体の第２の端部３４に向かい加熱器８０を取り囲み主流体出口４４０へ至るように本体３０を通って続き、ファンユニットが引き込んだ流体は、主流体出口で主流体流路４００から出る。主流体流路４００は、非直線状であり、ハンドル２０を第１の方向に通り、本体３０を第１の方向と直交する第２の方向に通って延びる。
【００７０】
本体３０は、外側壁３６０及び内側ダクト３１０を含む。主流体流路４００は、ハンドル２０と本体３０との接合部９０から外側壁３６０とダクト３１０との間を本体３０の第２の端部３４にある主流体出口４４０へ向けて本体に沿って延びる。
【００７１】
本体には別の流体流路が設けられ、この流れは、ファンユニット又は加熱器によって直接処理されず、ファンユニットの作用によってヘヤードライヤ内へ引き込まれ、ヘヤードライヤを通る主流れを生成する。この流体流れは、主流体流路４００を通って流れる流体によってヘヤードライヤ内へ同伴される。
【００７２】
本体の第１の端部３２は流体入口３２０を含み、本体の第２の端部３４は流体出口３４０を含む。流体入口３２０及び流体出口３４０は両方とも、本体３０の内側壁であって本体内でかつ本体に沿って延びる内側ダクト３１０によって少なくとも部分的に形成される。流体流路３００は、ダクト内で流体入口３２０から流体出口３４０まで延びる。本体３０の第１の端部３２で、外側壁３６０と内側ダクト３１０の間に側壁３５０が延びる。この側壁３５０は、流体入口３２０を少なくとも部分的に形成する。本体の第２の端部３４では、外側壁３６０とダクトの間に間隙が設けられ、この間隙は主流体出口４４０を形成している。主流体出口４４０は、環状であって流体流路を取り囲んでいる。主流体出口４４０は内部にあることができ、そうすれば主流体流路４００は、本体３０内で流体流路３００と合流する。これに代えて、主流体出口４４０は、外部にあって流体出口３４０で流体流路３００から出る流体とは別々に本体３０から出る。
【００７３】
本体の外側壁３６０は、ダクト３１０及び本体３０の中心線Ａ−Ａに向けて収束する。ダクト３１０に向けて収束する外側壁３６０を有することにより、主流体出口４４０から出る主流れが本体３０の中心線Ａ−Ａに向けて誘導される利点がある。流体が主流体出口４４０から出ると、この流体の運動に起因して、ヘヤードライヤの外側から一部の流体の外部同伴４９０が生じる。この効果は、ダクト３１０に向けて収束する外側壁３６０によって強められる。効果が強まるのは、部分的には、主流れが発散ではなく集束するからであり、かつ部分的には、本体３０の外側壁３６０がヘヤードライヤの第２の端部３４に向けて傾斜しているからである。
【００７４】
ダクト３１０は、ヘヤードライヤの外側からアクセス可能なヘヤードライヤの内部壁である。従って、ダクト３１０は、ヘヤードライヤの外部壁である。ダクト３１０は、本体３０内の凹部に置かれるので、外側壁３６０とダクト３１０との間を接続する側壁３５０は、外側壁３６０に対して角度を成している。
【００７５】
本体３０内で側壁３５０及び流体入口３２０の近くに、ヘヤードライヤのための制御電子機器を含むＰＣＢ７５が位置付けられる。ＰＣＢ７５は、リング形状を有してダクト３１０と外側壁３６０との間でダクト３１０の周りに延びる。ＰＣＢ７５は主流体流路４００と流体連通している。ＰＣＢ７５は、流体流路３００の周りに延びかつダクト３１０によって流体流路３００から隔離される。
【００７６】
ＰＣＢ７５は、加熱器８０の温度及びファンユニット７０の回転速度のようなパラメータを制御する。内部配線（図示しない）が、ＰＣＢ７５を加熱器８０及びファンユニット７０及びケーブル５０へ電気的に接続している。制御ボタン６２、６４が設けられてＰＣＢ７５に接続され、ユーザが、例えば、温度設定値及び流量の範囲を選択することができるようになっている。
【００７７】
使用時に、流体は、ファンユニット７０の作用によって主流体流路４００内へ引き込まれ、任意的に加熱器８０によって加熱され、主流体出口４４０から出る。この処理された流れは、流体入口３２０で流体を流体流路３００内へ同伴される。流体は、処理された流れと本体の第２の端部３４で合流する。図２に示す例では、処理された流れが主流体出口４４０及びヘヤードライヤから出るのは、同伴された流れを取り囲む環状流れが流体出口３４０を通ってヘヤードライヤから出る時である。従って、ファンユニット及び加熱器によって処理された流体は、同伴された流れによって増強される。
【００７８】
図３ａ、図３ｂ、及び図３ｃは、ヘヤードライヤ１０の主流体入口４０の斜視分解組立図をより詳しく示している。電気器具１０は、本体３０及びハンドル２０を含む。ハンドル２０は管状であり、ハンドル２０の外側壁２００は、アルミニウム、アルミニウム合金、又は鋼のような金属の板を巻いて作られた円筒形スリーブである。
【００７９】
ハンドルは、第１の端部２２で本体３０に接続し、遠位の第２の端部２４には主流体入口４０が設けられる。主流体入口４０は、主流体流路４００に入る流体を濾過する第１の手段である。
【００８０】
使用時にハンドル２０の第２の端部２４に挿入される発泡体ブロック４８が設けられる。発泡体ブロック４８は、主流体入口４０を通って主流体流路４００内へ流れる流体を濾過する第２の手段である。発泡体ブロック４８は、主流体入口４０を超えて更にハンドルの第１の端部２２に向けて延びることが有利であり、そうすれば主流体入口４０に入った流体は発泡体ブロック４８を通過し、二段階に濾過されるからである。
【００８１】
図示の発泡体ブロック４８は円筒形であり、ハンドル２０内で実質的に主流体入口４０のその区域を充填する。それによってハンドルの周りにかつそれに沿って延びる第１の開口４２を通って主流体入口に入る全ての流体、及び端壁２１０を横切ってかつそれを通って延びる第２の開口４６を通って入る流体は、この濾過の第２段階を確実に通過する。発泡体ブロック４８は、ハンドル２０の第２の端部２４から主流体入口４０の第１の開口４２よりも遠くまで縦方向に延びる。
【００８２】
主流体入口４０が、専らハンドル２０の外側壁の周りにかつそれに沿って（４２）延びていれば、発泡体ブロック４８は、リングに形成されハンドル２０の外側壁２００の内面を背にして位置する矩形のブロックを含むことができる。端壁２１０を通ってハンドル２０に入る流体はないので、ハンドル２０の端壁２１０を覆う必要はない。
【００８３】
図４は本発明による電気器具の分解斜視図を示し、図５は異なるハンドル部の分解側面図を示し、図６は内側ハンドルの斜視図を示し、図７は組み立てた内側ハンドルを示している。
【００８４】
ハンドル２０は、外側壁２００と、ハンドル２０を通る主流体流路４００を少なくとも部分的に形成する内側壁２２０とを有する。内側壁２２０は、本体３０から下流端２２０ａへ至り、ハンドル２０の第２の端部２４に向けて延びるが、それは、主流体入口４０の一部を形成する第１の開口４２ほど遠くには延びない。内側壁２２０は、下流端２２０ａで発泡体ブロック４８に当接している。内側壁２２０は、主流体入口４０の第１の開口４２から離間している。
【００８５】
内側壁２２０は、主流体流路４００の断面積が変化している部分の周りに流体流れを案内するような形状を有する。例えば、内側壁２２０の下流端２２０ａで、内側壁は、主流体流路４００に沿って外側壁２００から半径方向内向きに湾曲している。この湾曲部分２２８は、フィルタブロック４８から出る流体を内側壁２２０内に案内し、内側壁２２０の直径は、内側壁２２０と外側壁２００の間に位置する裏張り材料２２２を収納するために外側壁２００の直径と比べて減少している。裏張り材料２２２は、ファンユニット７０が流体をハンドル２０内に引き込む時に発生するノイズを少なくとも軽減する（消音効果を有する）発泡体又はフェルトである。明確化のために、裏張り材料２２２は、内側壁２２０の一部の周りだけに示されている。実際には、裏張り材料２２２は、補強リブ２２６によって形成される内側壁２２０の各八分円を実質的に充填している。裏張り材料２２２と主流体流路４００を流れる流体とを接触させ、それによってノイズを軽減するために、内側壁２２０は、その周りにかつ長さ方向の少なくとも一部に沿って延びる穿孔２２４を含む。内側壁２２０が主流体入口４０の第１の開口４２を覆うように延びないので、内側壁２２０内の各穿孔２２４は、主流体入口４０の第１の開口４２から縦方向に離間している。
【００８６】
本体３０の外側壁３６０とハンドル２０の内側壁２２０の第１部２２０ｃとは、単一部分として成形される。内側壁２２０の第２部２２０ｂは、第１部２２０ｃと共に、外側壁２００の内側の周りに延びる連続内側壁２２０を形成している。内側壁２２０は、本体からハンドルの主流体入口４０に向けて延びる。この例では、内側壁２２０は、ハンドル２０の外側壁２００の主流体入口４０と重なっていない。内側壁２２０の端部２２０ａとハンドル２０の端壁２１０との間には、発泡体ブロック４８がある。
【００８７】
外側壁２００に沿ってかつその周りに延びる第１の開口４２は、外側壁２００の形成の元になる金属板から機械加工、穴開け、又はレーザ切断される。外側壁２００は、内側ハンドル２２０の上を摺動し、完成品を形成する。
【００８８】
特に図８、図９、及び図１０を参照すると、主流体入口４０は、毛髪及び非液体ヘヤケア製品（例えば、ムース及びワックス）が主流体流路４００に入るのを防止するように意図している。主流体入口４０の外部面は、毛髪、繊維、及び埃を除去するために拭うことができ、主流体入口４０の第１の開口４２の障害物を取り除く。発泡体ブロック４８は、網目状の発泡体ブロックであることが好ましく、進入した毛髪及び空気が運んだ粒子が主流体流路４００に入るのを防止するように意図している。清掃又は交換のために発泡体ブロック４８へ外部からアクセスすることは可能ではないので、主流体入口４０は取外可能部分４４を含み、この取外可能部分４４は、取り外された時に、清掃又は交換のためにユーザが発泡体ブロック４８を外側壁２００の内側から取外可能である。
【００８９】
取外可能部分４４は、ハンドル２０の端壁２１０を含み、かつリップ４４０を含む外部リム４３０を有し、リップ４４０は、ハンドルの外側壁２００の端部２００ａにわたってかつ外側壁２００の少なくとも半径を横切って延びる。また、取外可能部分４４は、ハンドル２０への主流体入口４０の一部を形成する第２の開口４６を含む。
【００９０】
この例において、リップ４４０は、ハンドル２０の外側壁２００を超えて延び、それによってユーザはリップ４４０で握って端壁１１０をハンドルの端部２００ａから剥がすことができる。取外可能部分４４は、プラスチック又はゴムのような可撓性材料から作られ、それによってハンドル２０の遠位端２４をオン及びオフに操作することができる。
【００９１】
また、取外可能部分４４は内側部分４０２を含み、この内側部分４０２は、ハンドルの第２の端部２４に取り付けられた時に外側壁２００の内側に延び、それによって主流体入口４０の２つの部分４２、４４間が確実に良好に密封される。
【００９２】
更に、取外可能部分４４は、ハンドル２０内に入る電力ケーブル５０が通る更に別の開口４０６を含む。更に別の開口４０６は、取外可能部分４４の中心にある。電力ケーブル５０はハンドル２０へ固定されるので、主流体入口４０の取外可能部分４４がハンドルの２４から除去された時に、取外可能部分４４は、電力ケーブル５０上に残ったままになる。これらは、洗浄又は交換のために発泡体ブロック４８が除去される時に、取外可能部分４４をうっかり間違った場所に置けないことを意味する。取外可能部分４４をハンドルの端部２４へ戻すために、人は、取外可能部分４４を電力ケーブル５０に沿って引っ張り、その後、取外可能部分４４をハンドルの端部２４内へ押すだけでよい。
【００９３】
発泡体ブロック４８は円筒形であり、電力ケーブル５０を収納するための中心開口４８ａ（図３及び図１０）を含む。電力ケーブル５０から発泡体ブロック４８を除去するために、発泡体ブロック４８を厚み方向に通ってスリット１４８が設けられる。発泡体ブロック４８は、スリット１４８で引っ張って離すのに十分な可撓性があり、それによって発泡体ブロック４８を電力ケーブル５０の周囲から除去することができる。
【００９４】
取外可能部分４４に形成された第２の開口４６を通って主流体入口４０に入る全ての流体を発泡体ブロック４８に流通させることによって確実に濾過するように、各第２の開口４６は、取外可能部分４４に形成された更に別の開口４０６から離間している。発泡体ブロック４８の中心開口４８ａの直径は、第２の開口４６の最も内側の列４６ａと取外可能部分４４の更に別の開口４０６との間の２倍を加えた取外可能部分４４の更に別の開口４０６の直径よりも小さい。こうすれば、発泡体ブロック４８は、全ての第２の開口４６と確実に重なる。
【００９５】
取外可能部分４４は、可撓性であるので電力ケーブル５０の外縁の周りを密封し、それによって流体が主流体入口４０を通過せずに流体流路に入ることが防止される。
【００９６】
特に図４から図７を参照すると、内側壁２２０は、いくつかの異なる機能を有する。１つの機能は、ハンドル２０内に配置された裏張り材料２２２を区切ることである。内側壁２２０は、裏張り材料２２２を外側壁２００に向けて押して圧壊し、それによって主流体流路４００が確実に裏張り材料２２２によって制約されなくなる。明確化の理由で、裏張り材料２２２は、内側壁２２０の一部だけに沿ってかつその周りに示されているが、実際には、それは、ハンドル２０の外側壁２００と内側壁２２０の間で実質的に連続している。裏張り材料２２２は、発泡体又はフェルトであり、ハンドル２０のための音響障壁及び熱障壁を提供する。
【００９７】
内側壁２２０の別の機能は、ファンユニット７０が内部に配置されるハウジング２３０を提供することである。ハウジング２３０は、円筒形であり、かつその各端部に配置されてハンドル２０内でファンユニット７０の位置を保つ内向きに突出する出っ張り２３２、２３４を有する。ファンユニット７０は、主流体入口４０内へかつ主流体流路４００に沿って本体３０まで流体を引き込む。この過程で発生するノイズ及び振動は、裏張り材料によって部分的に軽減されるが、外側壁２００及び内側壁２２０に沿ってかつその周りに設けられた穿孔２２４の形状によっても軽減される。
【００９８】
内側壁２２０は、その外径の周りで螺旋状になった補強リブ２２６を含む。補強リブ２２６は、ヘヤードライヤ１０を落とすか又はぶつけた時のために、ハンドル２０のための構造的な支持を提供する。この実施形態において、裏張り材料２２２は、各補強リブ２２６の間に適合する部分に切り分けられるが、裏張り材料は、連続部分として設けることもできるであろう。組み立て、ノイズ及び振動の緩和、並びに補強リブ２２６の有効性の観点から、両方の選択肢には長所及び短所がある。
【００９９】
更に、縦方向の補強リブが接続支柱２３６の形態で設けられる。接続支柱は、内側壁２２０の第１部２２０ｃ及び第２部２２０ｂの協働する縁部に沿って縦方向に延びる。接続支柱は２つの機能を有し、一方は、内側壁２２０を補強することであり、他方は、内側壁の第１部２２０ｃと第２部２２０ｂの間に確実な接続を提供することである。
【０１００】
補強リブの使用は、同じ強度のハンドルに対して内側壁２２０を薄くすることができ、それによって製品の重量が減少することを意味する。また、各穿孔２２４は、他の利益をもたらすことに加えて、内側壁２２０の重量を低減する。
【０１０１】
内側壁２２０は、２つの部分、すなわち、本体３０の外側壁３６０から延びかつこれと一体的に成形される第１部２２０ｃと、個別に成形される第２部２２０ｂとから作られる。こうすれば、ワンピース内側壁に比べて、ハンドル内のファンユニット７０の組立てが容易になる。
【０１０２】
内側壁２５０の代わりの配置が図１１及び図１２に示されている。内側壁２５０は、２つの部分、すなわち、本体３０と一体的に成形される第１部２５０ａと、第１部２５０ａと接合して完全な内側壁２５０を形成する第２部２５０ｂとから形成される。
【０１０３】
内側壁２５０は、本体３０に接続された第１の端部２５２から本体３０から離れた第２の端部２５４まで延びる。第２の端部２５４及びファンユニットハウジング２３０への行程に沿った延長部において、内側壁２５０の周りに複数の穿孔２５６が形成され、これが内側壁の第１の部分２６０を形成している。内側壁の第２の部分２６２は、ファンユニット７０のためのファンユニットハウジング２３０を含む。大きい開口２５８が、接続支柱２６６によって２つに分割される。接続支柱２６６は２つの主な機能を有し、第１の機能は、内側壁２５０の第１部２５０ａと第２部２５０ｂの間に接続を提供することである。内側壁の第３の部分２６４は、ファンユニットハウジング２３０の上端から内側壁の第１の端部２５２まで延びる。内側壁２５０の第３の部分２６４には、開口又は穿孔がない。
【０１０４】
内側ハンドル２５０の第１の部分２６０に沿って裏張り材料２７０が設けられる。明確化のために、内側壁の第１部２５０ａ上にある裏張り材料２７０だけが示されているが、使用時に、裏張り材料２７０は、内側壁２５０の第１の部分２６０の周りの全体に延びる。この裏張り材料２７０は、２つの部分として設けられ、内側壁の第１部２５０ａに関連して設けたもの、及び第２部２５０ｂに関連して設けたものである。
【０１０５】
裏張り材料２７０は、ファンユニット７０の作用によって流体が主流体入口４０内へ引き込まれる時に発生するノイズを低減するために設けられる。裏張り材料２７０は、主流体流路４００を流れる流体に直接に露出される時に最も効果がある。しかし、発泡体ブロック４８によって濾過された後の流体流れが流路で内側壁２５０まで運ばれている場所では、流れ誘導面の背後に裏張り材料２７０を配置することが有益である。内側壁２５０の第２の端部２５４は、流体がフィルタブロック４８から主流体流路４００に移動する時に、この流体のための滑らかな面を提供するような形状の湾曲部分２５８である。
【０１０６】
内側壁２２０の各穿孔２５６の直径は、ノイズを最も有効に軽減するように選択される。適切な直径は、１ｍｍから１０ｍｍであり、小さい直径は良好な音響パワーを得る（人間の主な音響範囲にわたる音を低減する）のに適し、大きい直径は高周波の軽減に適している。穿孔は、内側壁２２０、２５０の面積の少なくとも４０％を形成することが好ましい。
【０１０７】
内側壁２２０、２５０の背後に配置された裏張り材料２２２を有することにより、裏張り材料２２２を主流体流路に露出するように向ける時に比べて、人が使用することができる裏張り材料の厚みがより大きくなる。これが可能になるのは、主流体流路４００の直径が、ハンドル２０の内側壁２２０、２５０と外側壁２００の間の間隙に裏張り材料２２２を押し潰す内側壁２２０、２５０によって決定されるからである。
【０１０８】
図１３ａから図１６は、代わりの取外可能部分２４４の様々な図である。この取外可能部分２４４は、外側壁の端部２２０ａ上に押し込まれる剛性プラスチック材料から作られる。取外可能部分２４４は、ハンドル２０への主流体入口４０の一部を形成する第２の開口４６を含む端面２４６を有する。取外可能部分２４４は、ほぼ「Ｕ」形状を有して指グリップ３０２を含む外側リム３００を有する。指グリップ３０２は、原則的に凹部であり、凹部は、例えば、指の爪又は硬貨のための手掛かりを与えるためにリム３００への行程の一部に延び、手掛かりは、取外可能部分２４４をてこ作用でハンドル２０の端部２００ａから外すのに利用される。
【０１０９】
２つの半径方向に対向する指グリップ３０２（図１４ｂ、図１６）を設けることができる。こうすれば、取外可能部分２４４をハンドル２０及び電力ケーブル５０によって形成される縦軸線に沿って引っ張ることができるので、取外し作業が容易になる。
【０１１０】
この取外可能部分２４４は、外側リム３００でハンドル２０の端部２２０ａに当接し、かつ１対の弾性クリップ３０８によってハンドルの２０の端部で所定位置に固定される。各弾性クリップ３０８は「Ｌ」形状を有し、取外可能部分２４４の内側リム３０４から上方の延長部２０８ａを有する。内側リム３０４は、ハンドル２０に入る電力ケーブル５０が通る取外可能部分の中心開口３０６を形成する。内側リム３０４から上方に離れた延長部２０８ａの遠位端に、弾性クリップ３０８はリップ３０８ｂを有し、このリップ３０８ｂは、内側リム３０４から半径方向内向きに取外可能部分２４４の中心開口３０６によって形成される空間内まで延びる。
【０１１１】
電力ケーブル５０は、ハンドル２０内で電力ケーブル５０の周りに延びるハウジング５２に収容される。ハウジングは、弾性クリップ３０８を保持するようになった円形凹部５４を含む。取外可能部分２４４がハンドル２０の端部２２０ａに挿入された時に、弾性クリップ３０８のリップ３０８ｂは、取外可能部分２４４がその取付け位置になるまでハウジング５２によって半径方向外向きに押され、取付け位置でリップ３０８ｂが円形凹部５４内に移動して取外可能部分２４４を所定位置に保持する。
【０１１２】
取外可能部分２４４を取り外すために、人は、十分な力で指グリップ３０２を引っ張るだけでよく、それによって弾性クリップ３０８のリップ３０８ｂは、円形凹部５４から飛び出すほど十分に撓む。
【０１１３】
ハウジング５２内の凹部は円形である必要はなく、これに代えて、それは、１対のリップ３０８ｂを収容する大きさ及び間隔の１対の凹部とすることができる。１対の凹部は、ハウジング５２及び従ってハンドル２０に対する取外可能部分２４４の向きを制御することができるので有利である。
【０１１４】
１対の指グリップ３０２を用いて指グリップ３０２及び弾性クリップ３０８の対を形成し、取外可能部分２４４の周りに半径方向で同じ位置に位置付けすることが好ましい。これは、弾性クリップ３０８に加わるいずれの力も、取外可能部分２４４を横切って関連する弾性クリップ３０８へ直接に伝達されることを意味する。
【０１１５】
図１３ｂ、図１４ａ、及び図１４ｃを参照すると、ハンドル２０の内部からのフィルタブロック４８の取り出しを容易にするためにフィルタ台４８０を設けることができる。フィルタ台４８０は、いくつかのリブ４８２を有し、リブ４８２は、フィルタブロックの中心開口４８ａによって形成されるフィルタブロック４８の内面４８ｂでフィルタブロック４８の長さに沿って延びる（図３ｂ、図１０、及び図１４ｂ）。リブ４８２は、その半径方向外向きにフィルタブロック４８の材料内まで延びる保持特徴部４８４を含む。保持特徴部４８４は、この例では矢印形状を有するが、他の形状を使用することができる。フィルタ台の下流端４８０ａに１対の下向きに延びるラグ４８６が設けられる。フィルタ４８及びフィルタ台４８０がハンドル２０内に位置付けられると、これらの下向きに延びるラグ４８６は、外部からアクセス可能であるので（図１３ｂ）、握ってハンドルの端部２００ａから下向きに引っ張ることができ、それによってフィルタブロック４８をハンドル２０から引っ張り出す。
【０１１６】
ハンドル２０の外側壁２００は、圧延金属シートから作られるものとして説明したが、代わりの製造方法及び材料を使用することができ、これらは、以下に限定されるものではないが、押出し管及びプラスチック押出し／成形管、又は炭素繊維強化プラスチックのような複合管を含む。
【０１１７】
本発明は、ヘヤードライヤに関して詳しく説明したが、それは、流体を引き込み、電気器具からその流体の流出流れを誘導するあらゆる電気器具に適用可能である。
【０１１８】
電気器具は、加熱器と共に又は加熱器なしで使用することができ、高速での流体の流出流れの作用は、乾燥効果を有する。
【０１１９】
電気器具を通って流れる流体は、一般的に空気であるが、１つ又は複数の気体の異なる組合せとすることができ、かつ電気器具の性能又は例えば毛髪及びその毛髪の整髪に出力が向けられる物体に対して電気器具が有する影響を改善する添加物を含むことができる。
【０１２０】
本発明は、上述の詳しい説明に限定されない。変形は、当業者に明らかであろう。
【符号の説明】
【０１２１】
２２０ｃ  内側壁の第１部
２２２  裏張り材料
２２４  穿孔
２３０  ハウジング
２３６  接続支柱
【図１】
2015066447.tif 000003
【図２】
2015066447.tif 000004
【図３ａ】
2015066447.tif 000005
【図３ｂ】
2015066447.tif 000006
【図３ｃ】
2015066447.tif 000007
【図４】
2015066447.tif 000008
【図５】
2015066447.tif 000009
【図６】
2015066447.tif 000010
【図７】
2015066447.tif 000011
【図８】
2015066447.tif 000012
【図９】
2015066447.tif 000013
【図１０】
2015066447.tif 000014
【図１１】
2015066447.tif 000015
【図１２】
2015066447.tif 000016
【図１３ａ】
2015066447.tif 000017
【図１３ｂ】
2015066447.tif 000018
【図１４ａ】
2015066447.tif 000019
【図１４ｂ】
2015066447.tif 000020
【図１４ｃ】
2015066447.tif 000021
【図１５】
2015066447.tif 000022
【図１６ａ】
2015066447.tif 000023
【図１６ｂ】
2015066447.tif 000024